(57)【要約】  イヤホンインタフェースアダプタデバイスの接続切替方法及び端末であって、そのうちの方法が以下を含む：電話の状態をモニタし、通話する必要があると判断される場合、オーディオ信号とイヤホンインタフェースとの間の信号接続をオフにし、通話が終了したと判断される場合、オーディオ信号とイヤホンインタフェースとの間の信号接続をオンにする。本発明に係るイヤホンインタフェースアダプタデバイスの接続切替方法によれば、電話の状態をモニタすることによってイヤホンインタフェースアダプタデバイスの接続状態を切り替ることによって、イヤホンインタフェースアダプタデバイスが使用される場合、それを抜き出さなくても、ユーザも通常に通話することもできるようにさせる。【選択図】図１
2017504988.tif 000002
【特許請求の範囲】
【請求項１】
イヤホンインタフェースアダプタデバイスの接続切替方法であって、
電話状態をモニタするステップと、
通話する必要があるかどうかを判断するステップと、
通話する必要があると判断される場合、オーディオ信号とイヤホンインタフェースとの間の信号接続をオフにするステップと、
通話が終了したかどうかを判断するステップと、
通話が終了したと判断される場合、オーディオ信号とイヤホンインタフェースとの間の信号接続をオンにするステップと、
を含むことを特徴とするイヤホンインタフェースアダプタデバイスの接続切替方法。
【請求項２】
オーディオ信号とイヤホンインタフェースとの間の信号接続をオフにする前に、
イヤホンインタフェースに差し込まれるイヤホンインタフェースアダプタデバイスがあるかどうかを検出し、あると検出された場合、前記オーディオ信号とイヤホンインタフェースとの間の信号接続をオフにするステップを実行し、ないと検出された場合、前記オーディオ信号とイヤホンインタフェースとの間の信号接続をオフにするステップを実行しない、ことをさらに含むことを特徴とする請求項１に記載の方法。
【請求項３】
オーディオ信号とイヤホンインタフェースとの間の信号接続をオンにする前に、
イヤホンインタフェースに差し込まれるイヤホンインタフェースアダプタデバイスがあるかどうかを検出し、あると検出された場合、前記オーディオ信号とイヤホンインタフェースとの間の信号接続をオンにするステップを実行し、ないと検出された場合、前記オーディオ信号とイヤホンインタフェースとの間の信号接続をオンにするステップを実行しない、ことをさらに含むことを特徴とする請求項１に記載の方法。
【請求項４】
通話する必要があるかどうかを前記判断する内容が、具体的には、着信があるかどうかを判断すること、着信に応答するかどうかを判断すること、及び電話をダイヤルするかどうかを判断することから選択される少なくとも一種である、ことを特徴とする請求項１乃至３のいずれか一項に記載の方法。
【請求項５】
前記イヤホンインタフェースアダプタデバイスが非接触式通信のアダプタ端末であり、前記非接触式通信の通信媒介が可視光、赤外光、紫外光、インフラサウンド、可聴音波、超音波から選択される少なくとも一種である、ことを特徴とする請求項１乃至３のいずれか一項に記載の方法。
【請求項６】
イヤホンインタフェースアダプタデバイスの接続切替方法を実行するための端末であって、
電話状態をモニタし、通話する必要があるかどうかを判断し、及び通話が終了したかどうかを判断するように設定される通話状態モニタモジュールと、
前記通話状態モニタモジュールの判断結果によって通話する必要があると判断される場合、オーディオ信号とイヤホンインタフェースとの間の信号接続をオフにし、通話が終了したと判断される場合、オーディオ信号とイヤホンインタフェースとの間の信号接続をオンにするように設定される状態切替モジュールと、を含むことを特徴とする端末。
【請求項７】
イヤホンインタフェースの中に差し込まれるイヤホンインタフェースアダプタデバイスがあるかどうかを検出するように設定されるイヤホンインタフェース接続検出モジュールと、をさらに含み、
前記状態切替モジュールが、通話する必要があると判断される場合、前記イヤホンインタフェース接続検出モジュールの検出結果によって処理を行い、イヤホンインタフェースの中に差し込まれるイヤホンインタフェースアダプタデバイスがある場合、オーディオ信号とイヤホンインタフェースとの間の信号接続をオフにするステップを実行し、そうでない場合、前記オーディオ信号とイヤホンインタフェースとの間の信号接続をオフにするステップを実行しないようにさらに設定される、ことを特徴とする請求項６に記載の端末。
【請求項８】
イヤホンインタフェースの中に差し込まれるイヤホンインタフェースアダプタデバイスがあるかどうかを検出するように設定されるイヤホンインタフェース接続検出モジュールと、をさらに含み、
前記状態切替モジュールが、通話が終了したと判断される場合、前記イヤホンインタフェース接続検出モジュールの検出結果によって処理を行い、イヤホンインタフェースの中に差し込まれるイヤホンインタフェースアダプタデバイスがある場合、前記オーディオ信号とイヤホンインタフェースとの間の信号接続をオンにするステップを実行し、検出されない場合、前記オーディオ信号とイヤホンインタフェースとの間の信号接続をオンにするステップを実行しないようにさらに設定される、ことを特徴とする請求項６に記載の端末。
【請求項９】
前記イヤホンインタフェースアダプタデバイスが非接触式通信のアダプタ端末であり、前記非接触式通信の通信媒介が可視光、赤外光、紫外光、インフラサウンド、可聴音波、超音波から選択される少なくとも一種である、ことを特徴とする請求項６または７に記載の端末。
【請求項１０】
前記イヤホンインタフェースアダプタデバイスが光棒であり、前記光棒が、前記イヤホンインタフェースの左・右音声チャンネルに接続するように設定される可視光送信器及びイヤホンインタフェースのマイクチャンネルに接続するように設定される赤外線受信器を備える、ことを特徴とする請求項９に記載の端末。
【発明の詳細な説明】
【技術分野】
【０００１】
本発明は電子技術分野に関し、具体的にイヤホンインタフェースアダプタデバイスの接続切替方法及び該方法を実行する端末に関する。
【背景技術】
【０００２】
電子技術が継続的に発展して行くとともに、携帯電話などの電子デバイスを巡り、各種類の多様性機能を備えるアダプタデバイスが生まれ、ユーザに豊かな機能及び様々な利便性を提供する。携帯電話などの電子デバイスのイヤホンインタフェースに接続するイヤホンインタフェースアダプタデバイスがそのなかの一種であり、若干のイヤホンインタフェースアダプタデバイスが音声通話のイヤホンに用いられるわけではなく、その他の機能を実現するために用いられ、例えば、オーディオコネクタが備えられる光通信アダプタ端末であって、それが受信端末との双方向通信を実現することができ、アクセス識別、光子支払、光子チケットなどの機能を実現するために用いられることが可能である。
【０００３】
イヤホンインタフェースアダプタデバイスが電子デバイスのイヤホンインタフェースに差し込まれる場合、電子デバイスがイヤホン応答の状態に移行し、この場合、ユーザが通話しようとする場合、イヤホンインタフェースの中からイヤホンインタフェースアダプタデバイスを抜き出す必要があり、操作が不便である。
【発明の概要】
【０００４】
本発明の一態様によれば、イヤホンインタフェースアダプタデバイスの接続切替方法を提供し、以下を含む：電話状態をモニタし、通話する必要があるかどうかを判断する。通話する必要があると判断される場合、オーディオ信号とイヤホンインタフェースとの間の信号接続をオフにする。通話が終了したかどうかを判断する。通話が終了したと判断される場合、オーディオ信号とイヤホンインタフェースとの間の信号接続をオンにする。
【０００５】
本発明の別の態様によれば、イヤホンインタフェースアダプタデバイスの接続切替方法を実行するために用いられる端末を提供し、以下を含む：通話状態モニタモジュールであって、電話状態をモニタし、通話する必要があるかどうかを判断し、及び通話が終了したかどうかを判断するように設定される。状態切替モジュールであって、通話状態モニタモジュールの判断結果によって通話する必要があると判断される場合、オーディオ信号とイヤホンインタフェースとの間の信号接続をオフにし、通話が終了したと判断される場合、オーディオ信号とイヤホンインタフェースとの間の信号接続をオンにするように設定される。
【０００６】
本発明に係るイヤホンインタフェースアダプタデバイスの接続切替方法によれば、電話の状態をモニタすることによってイヤホンインタフェースアダプタデバイスの接続状態を切り替ることによって、イヤホンインタフェースアダプタデバイスが使用される場合、それを抜き出さなくても、ユーザも通常に通話することもできるようにさせ、使用の利便性を高めた。
【０００７】
以下、図面に合わせ、本発明に係る具体的な実例について詳しく説明し、簡潔にするために、各実施形態の中の同一種類の構造が同一標記を使用することにする。
【図面の簡単な説明】
【０００８】
【図１】図１は、実施形態１の中のイヤホンインタフェースアダプタデバイスの接続切替方法のフローを示す模式図である。
【図２】図２は、実施形態２の中のイヤホンインタフェースアダプタデバイスの接続切替方法のフローを示す模式図である。
【図３】図３は、実施形態３の中のイヤホンインタフェースアダプタデバイスの接続切替方法のフローを示す模式図である。
【図４】図４は、実施形態４の中の端末のモジュール構造を示す模式図である。
【図５】図５は、実施形態５の中の端末のモジュール構造を示す模式図である。
【図６】図６は、実施形態６の中の端末のモジュール構造を示す模式図である。
【発明を実施するための形態】
【０００９】
実施形態１
本発明の実施形態に係るイヤホンインタフェースアダプタデバイスの接続切替方法の一実施形態が図1を参照することができ、下記ステップを含む：
【００１０】
Ｓ１０１．電話状態をモニタする。
【００１１】
通常には、通話機能を備える端末デバイス（携帯電話など）が内蔵されるオペレーティングシステムによって各項目の機能の制御及び利用を完成し、よく見られるオペレーティングシステムがシンビアン（Symbian）、Ｌｉｎｕｘ、Ｗｉｎｄｏｗｓ  Ｍｏｂｉｌｅｓ、アンドロイド（Android）、ＩＯＳ及びＷＰなどを含む。さまざまな携帯電話のオペレーティングシステムがすべて通話状態に対するクエリーまたはモニタを提供することができる。簡潔にするために、本実施形態においてアンドロイドシステムを例にし、説明し、その他のタイプのオペレーティングシステムが類似の方法によって実現することができ、具体的なオペレーティングシステムが本発明の実施形態の限定に構成するわけではない。
【００１２】
アンドロイドシステムにおいて、電話サービスマネージャ（TelephonyManager）が携帯電話モジュール情報のクエリー及びモニタを提供することができる。そのため、電話サービスマネージャにクエリー状態リクエストを送信し、またはモニタを登録することによって電話の状態を取得することができる。本実施形態において電話サービスマネージャで携帯電話状態変更イベントのモニタを登録することによって電話の状態を知ることができる。
【００１３】
その他の実施形態において、着信がある場合、携帯電話に振動、音声または画像のプロンプトが現れ、電話をダイヤルする場合、ユーザがキー、タッチスクリーン、音声などによってダイヤルを操作するようにトリガする必要があり、そのため、関連する処理モジュールの動作をモニタすることによって電話の状態を知ることができる。
【００１４】
Ｓ１０２．通話する必要があるかどうかを判断する。
【００１５】
必要があると判断される場合、ステップＳ１０３を実行し、必要がないと判断される場合、電話の状態を継続時にモニタする。
【００１６】
この実施形態において、通話する必要があるかどうかを判断し、具体的には、着信があるかどうかを判断し、及び電話をダイヤルするかどうかを判断し、電話の状態をモニタすることによって着信及び発信イベントを知る。その他の実施形態において通話過程中のその他の段階によって通話する必要があるかどうかを判断することもでき、通信両者が通話する前に判断すればよい。例えば、着信に対し、着信に応答するかどうかを判断することができ、ユーザが応答するかどうかを通話する必要があるかどうかの判断結果とし、発信に対し、呼出音が受信されるかどうか、または相手が応答するかどうかを判断し、かつそれを通話する必要があるかどうかの判断結果とする。
【００１７】
Ｓ１０３．オーディオ信号とイヤホンインタフェースとの間の信号接続をオフにする。
【００１８】
アンドロイドシステムに対し、audioManager.setWiredHeadsetOn(false)コマンドによってイヤホンワイヤーの接続をオフにすることができ、この場合、通話の音声が端末装置の本体の上のマイクから入力され、かつ、本体の上のレシーバから出力され、ユーザーが正常に通話を行うことができるようになる。
【００１９】
Ｓ１０４．通話が終了したかどうかを判断する。
【００２０】
終了したと判断される場合、ステップＳ１０５を実行し、終了しなかったと判断される場合、通話の終了まで待つ。
【００２１】
この実施形態において、電話の状態をモニタすることによって通話状態の終了を知る。その他の実施形態において、オンフックのような通話終了に関連する操作をモニタすることによって通話状態の終了を知ることもできる。
【００２２】
Ｓ１０５．オーディオ信号とイヤホンインタフェースとの間の信号接続をオンにする。
【００２３】
アンドロイドシステムに対し、audioManager.setWiredHeadsetOn(true)コマンドによってオーディオ信号とイヤホンとの間の信号接続をオンにし、この場合、イヤホンインタフェースに差し込まれるイヤホンインタフェースアダプタデバイスが継続的に使用されることが可能である。
【００２４】
本実施形態に係るイヤホンインタフェースアダプタデバイスの接続切替方法によれば、電話の状態をモニタすることによってイヤホンインタフェースアダプタデバイスの接続状態を切り替えることによって、イヤホンインタフェースアダプタデバイスが使用される場合、それを抜き出さなくても、ユーザも通常に通話することもできるようにさせ、使用の利便性を高めた。
【００２５】
実施形態２
本発明の実施形態に係るイヤホンインタフェースアダプタデバイスの接続切替方法の別の実施形態が図２を参照することができ、実施形態１に比較し、主な区別が、イヤホン信号接続をオフにする前に、イヤホンインタフェースアダプタデバイスが差し込まれるかどうかを判断することにあり、方法は下記ステップを含む：
【００２６】
Ｓ２０１．電話状態をモニタする。
【００２７】
Ｓ２０２．通話する必要があるかどうかを判断する。必要があると判断される場合、ステップＳ２０３を実行し、必要がないと判断される場合、電話の状態を継続時にモニタする。
【００２８】
上記ステップＳ２０１−Ｓ２０２は、Ｓ１０１−Ｓ１０２の中のそれに応じるステップを参照して実行することができ、余計に説明しない。
【００２９】
Ｓ２０３．イヤホンインタフェースに差し込まれるイヤホンインタフェースアダプタデバイスがあるかどうかを検出する。あると検出された場合、ステップＳ２０４を実行し、ないと検出された場合、フローを中止する。その他の実施形態において、ないと検出された場合、まだ電話の状態を継続時にモニタすることもできる。
【００３０】
アンドロイドシステムに対し、audioManager.isWiredHeadSetOn()の戻り値がtrueとするかどうかを判断することによってイヤホンインタフェースアダプタデバイスが差し込まれているかどうかを検出することができ、trueである場合、すでに差し込まれていたことを示し、trueでない場合、差し込まれていなかったことを示す。
【００３１】
Ｓ２０４．オーディオ信号とイヤホンインタフェースとの間の信号接続をオフにする。
【００３２】
Ｓ２０５．通話が終了したかどうかを判断する。終了したと判断される場合、ステップＳ２０６を実行し、終了しなかったと判断される場合、通話の終了まで待つ。
【００３３】
Ｓ２０６．オーディオ信号とイヤホンインタフェースとの間の信号接続をオンにする。
【００３４】
上記ステップＳ２０４−Ｓ２０６は、Ｓ１０３−Ｓ１０５の中のそれに応じるステップを参照して実行することができ、余計に説明しない。
【００３５】
イヤホンインタフェースアダプタデバイスがイヤホンインタフェースに差し込まれないかぎり、端末デバイスがオーディオインターフェースマネージャから帰還される差込情報によってデバイス本体のレシーバ及びマイクを無効にし、イヤホンワイヤーのレシーバ及びマイクを有効にするモードのような応答モードを開始することができない。そのため、オーディオ信号とイヤホンインタフェースとの間の信号接続をオフにするステップを実行する前に差し込まれるイヤホンインタフェースアダプタデバイスがあるかどうかを判断することによって不要な切断操作を避けることができる。本実施形態において、イヤホンインタフェースアダプタデバイスが差し込まれるかどうかを検出することが通話状態判断の後に実行されるが、その他の実施形態において、通話判断の前に実行することもできる。
【００３６】
本発明の実施形態に係るイヤホンインタフェースアダプタデバイスがさまざまな電子デバイスのイヤホンインタフェースに接続することによって機能を完成する周辺デバイスとすることができ、たとえば、非接触式通信のアダプタ端末とすることができ、称される非接触式通信の通信媒介が以下の集合から選択される少なくとも一種である：可視光、赤外光、紫外光、インフラサウンド、可聴音波、超音波。
【００３７】
特に、称されるイヤホンインタフェースアダプタデバイスが光棒であり、称される光棒が双方向光通信デバイスで、イヤホンインタフェースの左・右音声チャンネルに接続するように設定される可視光送信器（例えば、発光ダイオードＬＥＤ）及びイヤホンインタフェースのマイクチャンネルに接続するように設定される赤外線受信器を備え、形状がイヤホンインタフェースに合わせるオーディオコネクタによってイヤホンインタフェースの中に差し込まれる。可視光送信器が光受信端末デバイスに信号を出力するように設定される。赤外線受信器が信号（即ち、赤外光線）を受信するように設定される。オーディオコネクタが電子デバイスのオーディオインタフェースに差し込まれる場合、それに応じるソフトウェアの制御によって光受信端末との双方向通信（例えば、アクセスシステムに用いられる光キーなど）を実現することができる。
【００３８】
実施形態３
本発明の実施形態に係るイヤホンインタフェースアダプタデバイスの接続切替方法の別の実施形態が図３を参照することができ、実施形態１に比較し、主な区別が、イヤホン信号接続をオンにする前にイヤホンインタフェースアダプタデバイスが差し込まれるかどうかを判断することにあり、方法は下記ステップを含む：
【００３９】
Ｓ３０１．電話状態をモニタする。
【００４０】
Ｓ３０２．通話する必要があるかどうかを判断する。必要があると判断される場合、ステップＳ３０３を実行し、必要がないと判断される場合、電話の状態を継続時にモニタする。
【００４１】
Ｓ３０３．オーディオ信号とイヤホンインタフェースとの間の信号接続をオフにする。
【００４２】
Ｓ３０４．通話が終了したかどうかを判断する。終了したと判断される場合、ステップＳ３０５を実行し、終了しなかったと判断される場合、通話の終了まで待つ。
【００４３】
上記ステップＳ３０１−Ｓ３０４は、Ｓ１０１−Ｓ１０４の中のそれに応じるステップを参照して実行することができ、余計に説明しない。
【００４４】
Ｓ３０５．イヤホンインタフェースに差し込まれるイヤホンインタフェースアダプタデバイスがあるかどうかを検出する。あると検出された場合、ステップＳ３０６を実行し、ないと検出された場合、フローを中止する。その他の実施形態において、検出されない場合、まだ電話の状態を継続時にモニタすることもできる。
【００４５】
アンドロイドシステムに対し、audioManager.isWiredHeadSetOn()の戻り値がtrueとするかどうかを判断することによってイヤホンインタフェースアダプタデバイスが差し込まれているかどうかを検出することができ、trueである場合、すでに差し込まれていたことを示し、trueでない場合、差し込まれていなかったことを示す。
【００４６】
Ｓ３０６．オーディオ信号とイヤホンインタフェースとの間の信号接続をオンにする。このステップは、Ｓ１０５を参照して実行することができ、余計に説明しない。
【００４７】
イヤホンインタフェースアダプタデバイスがイヤホンインタフェースに差し込まれないかぎり、端末デバイスのオーディオ信号とイヤホンインタフェースをオンにする必要がない。そのため、オーディオ信号とイヤホンインタフェースとの間の信号接続をオンにするステップを実行する前に差し込まれるイヤホンインタフェースアダプタデバイスがあるかどうかを判断することによって不要な接続操作を避けることができる。
【００４８】
本発明の実施形態に係るイヤホンインタフェースアダプタデバイスの接続切替方法の全部または一部のステップがプログラムコマンドに関連するハードウェアによって完成されることが可能で、前述のプログラムがコンピュータの読み取り可能な記憶媒体の中に記憶されることが可能で、該プログラムが実行される場合、上述方法実施形態が含まれるステップを実行し、前述の記憶媒体が以下を含む：リードオンリーメモリ（ＲＯＭ）、ランダムアクセスメモリ（ＲＡＭ）、磁気ディスクまたは光ディスクなどのプログラムコードを記憶することができる媒体。
【００４９】
実施形態４
本発明の実施形態に係る一実施形態が図４に参照することができ。該端末４００が実施形態１の中のイヤホンインタフェースアダプタデバイスの接続切替方法を実行するために用いられることが可能で、端末が通話状態モニタモジュール４０１と状態切替モジュール４０２を含み、そのうち：
【００５０】
通話状態モニタモジュール４０１であって、電話状態をモニタし、通話する必要があるかどうかを判断し、及び通話が終了したかどうかを判断するように設定される。
【００５１】
状態切替モジュール４０２であって、通話状態モニタモジュール４０１の判断結果によって通話する必要があると判断される場合、オーディオ信号とイヤホンインタフェースとの間の信号接続をオフにし、通話が終了したと判断される場合、オーディオ信号とイヤホンインタフェースとの間の信号接続をオンにするように設定される。
【００５２】
本実施形態に係る端末が具体的に携帯電話、パーソナルデジタルアシスタント、タブレットコンピュータなどの通話機能が備えられるモバイル端末デバイスとすることができる。
【００５３】
本実施形態に係る端末によれば、電話の状態をモニタすることによってイヤホンインタフェースアダプタデバイスの接続状態を切り替えることによって、イヤホンインタフェースアダプタデバイスが使用される場合、それを抜き出さなくても、ユーザも通常に通話することもできるようにさせ、使用の利便性を高めた。
【００５４】
実施形態５
本発明の実施形態に係る端末の別の実施形態が図５を参照することができ、該端末５００が実施形態２の中のイヤホンインタフェースアダプタデバイスの接続切替方法を実行するために用いられることが可能で端末が通話状態モニタモジュール５０１、状態切替モジュール５０２とイヤホンインタフェース接続検出モジュール５０３を含み、そのうち：
【００５５】
通話状態モニタモジュール５０１であって、電話状態をモニタし、通話する必要があるかどうかを判断し、及び通話が終了したかどうかを判断するように設定される。
【００５６】
イヤホンインタフェース接続検出モジュール５０３であって、イヤホンインタフェースの中に差し込まれるイヤホンインタフェースアダプタデバイスがあるかどうかを検出するように設定される。
【００５７】
状態切替モジュール５０２であって、通話状態モニタモジュール５０１の判断結果によって通話する必要があると判断される場合、イヤホンインタフェース接続検出モジュール５０３の検出結果によって処理を行い、イヤホンインタフェースの中に差し込まれるイヤホンインタフェースアダプタデバイスがある場合、オーディオ信号とイヤホンインタフェースとの間の信号接続をオフにし、イヤホンインタフェースの中に差し込まれるイヤホンインタフェースアダプタデバイスかない場合、オーディオ信号とイヤホンインタフェースとの間の信号接続をオフにせず、通話が終了したと判断される場合、オーディオ信号とイヤホンインタフェースとの間の信号接続をオンにするように設定される。
【００５８】
本実施形態に係る端末では、オーディオ信号とイヤホンインタフェースとの間の信号接続をオフにするステップを実行する前に差し込まれるイヤホンインタフェースアダプタデバイスがあるかどうかを判断することによって不要な切断操作を避けることができる。
【００５９】
実施形態６
本発明の実施形態に係る端末の別の実施形態が図６を参照することができ、該端末６００が実施形態３の中のイヤホンインタフェースアダプタデバイスの接続切替方法を実行するために用いられることが可能で、端末が通話状態モニタモジュール６０１、状態切替モジュール６０２とイヤホンインタフェース接続検出モジュール６０３を含み、そのうち：
【００６０】
通話状態モニタモジュール６０１であって、電話状態をモニタし、通話する必要があるかどうかを判断し、及び通話が終了したかどうかを判断するように設定される。
【００６１】
イヤホンインタフェース接続検出モジュール６０３であって、イヤホンインタフェースの中に差し込まれるイヤホンインタフェースアダプタデバイスがあるかどうかを検出するように設定される。
【００６２】
状態切替モジュール６０２であって、通話状態モニタモジュール６０１の判断結果によって通話する必要があると判断される場合、オーディオ信号とイヤホンインタフェースとの間の信号接続をオフにし、通話が終了したと判断される場合、イヤホンインタフェース接続検出モジュール６０３の検出結果によって処理を行い、イヤホンインタフェースの中に差し込まれるイヤホンインタフェースアダプタデバイスがある場合、オーディオ信号とイヤホンインタフェースとの間の信号接続をオンにし、イヤホンインタフェースの中に差し込まれるイヤホンインタフェースアダプタデバイスかない場合、オーディオ信号とイヤホンインタフェースとの間の信号接続をオフにしないように設定される。
【００６３】
本実施形態に係る端末では、オーディオ信号とイヤホンインタフェースとの間の信号接続をオンにするステップを実行する前に差し込まれるイヤホンインタフェースアダプタデバイスがあるかどうかを判断することによって不要な接続操作を避けることができる。
【００６４】
以上、具体的なケースによって本発明の原理及び実施形態について述べたが、上記実施形態は単に本発明を理解するように助けるために用いられることを理解するもので、本発明に対する限定に理解するものではない。この分野の通常の技術者は、本発明の思想に基づいて上記具体的な実施形態に対して変更を行うことができる。
【産業上の利用可能性】
【００６５】
本発明の実施形態は、電話の状態をモニタすることによってイヤホンインタフェースアダプタデバイスの接続状態を切り替え、従って、イヤホンインタフェースアダプタデバイスが使用される場合、それを抜き出さなくても、ユーザも通常に通話することもできるようにさせ、使用の利便性を高めた。
【図１】
2017504988.tif 000003
【図２】
2017504988.tif 000004
【図３】
2017504988.tif 000005
【図４】
2017504988.tif 000006
【図５】
2017504988.tif 000007
【図６】
2017504988.tif 000008
【手続補正書】
【提出日】平成28年6月2日(2016.6.2)
【手続補正１】
【補正対象書類名】特許請求の範囲
【補正対象項目名】全文
【補正方法】変更
【補正の内容】
【特許請求の範囲】
【請求項１】
イヤホンインタフェースアダプタデバイスの接続切替方法であって、
電話状態をモニタするステップと、
通話する必要があるかどうかを判断するステップと、
通話する必要があると判断される場合、オーディオ信号とイヤホンインタフェースとの間の信号接続をオフにするステップと、
通話が終了したかどうかを判断するステップと、
通話が終了したと判断される場合、オーディオ信号とイヤホンインタフェースとの間の信号接続をオンにするステップと、を含み、
オーディオ信号とイヤホンインタフェースとの間の信号接続をオフにする前に、或いは、オーディオ信号とイヤホンインタフェースとの間の信号接続をオンにする前に、イヤホンインタフェースに差し込まれるイヤホンインタフェースアダプタデバイスがあるかどうかを検出し、あると検出された場合、前記オーディオ信号とイヤホンインタフェースとの間の信号接続をオフまたはオンにするステップを実行し、ないと検出された場合、前記オーディオ信号とイヤホンインタフェースとの間の信号接続をオフまたはオンにするステップを実行しない、
ことをさらに含むことを特徴とするイヤホンインタフェースアダプタデバイスの接続切替方法。
【請求項２】
通話する必要があるかどうかを前記判断する内容が、具体的には、着信があるかどうかを判断すること、着信に応答するかどうかを判断すること、及び電話をダイヤルするかどうかを判断することから選択される少なくとも一種である、ことを特徴とする請求項１に記載の方法。
【請求項３】
前記イヤホンインタフェースアダプタデバイスが非接触式通信のアダプタ端末であり、前記非接触式通信の通信媒介が可視光、赤外光、紫外光、インフラサウンド、可聴音波、超音波から選択される少なくとも一種である、ことを特徴とする請求項１に記載の方法。
【請求項４】
イヤホンインタフェースアダプタデバイスの接続切替方法を実行するための端末であって、
電話状態をモニタし、通話する必要があるかどうかを判断し、及び通話が終了したかどうかを判断するように設定される通話状態モニタモジュールと、
前記通話状態モニタモジュールの判断結果によって通話する必要があると判断される場合、オーディオ信号とイヤホンインタフェースとの間の信号接続をオフにし、通話が終了したと判断される場合、オーディオ信号とイヤホンインタフェースとの間の信号接続をオンにするように設定される状態切替モジュールと、
イヤホンインタフェースの中に差し込まれるイヤホンインタフェースアダプタデバイスがあるかどうかを検出するように設定されるイヤホンインタフェース接続検出モジュールと、を含み、
前記状態切替モジュールが、通話する必要がある或いは通話が終了したと判断される場合、前記イヤホンインタフェース接続検出モジュールの検出結果によって処理を行い、イヤホンインタフェースの中に差し込まれるイヤホンインタフェースアダプタデバイスがある場合、オーディオ信号とイヤホンインタフェースとの間の信号接続をオフまたはオンにするステップを実行し、そうでない場合、前記オーディオ信号とイヤホンインタフェースとの間の信号接続をオフまたはオンにするステップを実行しないようにさらに設定される、ことを特徴とする端末。
【請求項５】
前記イヤホンインタフェースアダプタデバイスが非接触式通信のアダプタ端末であり、前記非接触式通信の通信媒介が可視光、赤外光、紫外光、インフラサウンド、可聴音波、超音波から選択される少なくとも一種である、ことを特徴とする請求項４に記載の端末。
【請求項６】
前記イヤホンインタフェースアダプタデバイスが光棒であり、前記光棒が、前記イヤホンインタフェースの左・右音声チャンネルに接続するように設定される可視光送信器及びイヤホンインタフェースのマイクチャンネルに接続するように設定される赤外線受信器を備える、ことを特徴とする請求項５に記載の端末。
【国際調査報告】
2017504988.tif 000009
2017504988.tif 000010
2017504988.tif 000011
2017504988.tif 000012